(57)【要約】【課題】液体貨物移送装置及び液体貨物移送方法が提供される。【解決手段】本発明の液体貨物移送装置は、液体貨物貯蔵タンクに連結される液体貨物移送ラインと、前記液体貨物移送ラインと連結され、液体貨物が貯蔵される空間を提供するドラムと、前記液体貨物貯蔵タンクに貯蔵された液体貨物が前記液体貨物移送ラインを通じて前記ドラムに供給されるように前記液体貨物貯蔵タンクを加圧する加圧部と、を含む。【選択図】図２
2020532688.tif 000002
【特許請求の範囲】
【請求項１】
液体貨物貯蔵タンクに連結される液体貨物移送ラインと、
前記液体貨物移送ラインと連結され、液体貨物が貯蔵される空間を提供するドラムと、
前記液体貨物貯蔵タンクに貯蔵された前記液体貨物が前記液体貨物移送ラインを通じて前記ドラムに供給されるように前記液体貨物貯蔵タンクを加圧する加圧部と、を含む液体貨物移送装置。
【請求項２】
前記液体貨物移送ラインに連結され、外部から液体貨物が供給されるフィリングラインをさらに含む請求項１に記載の液体貨物移送装置。
【請求項３】
前記加圧部は、
前記ドラムから蒸発ガスが提供されて圧縮する圧縮器と、
前記圧縮器で圧縮された蒸発ガスを前記液体貨物貯蔵タンクに提供するガス移送ラインと、を含む請求項１に記載の液体貨物移送装置。
【請求項４】
前記加圧部は、
前記圧縮器と連結され、液体貨物貯蔵ターミナルから蒸発ガスを提供するターミナルガスラインをさらに含む請求項３に記載の液体貨物移送装置。
【請求項５】
前記圧縮された蒸発ガスが前記液体貨物貯蔵タンクに供給される時、前記液体貨物貯蔵タンクの温度上昇を防止するクーリング部をさらに含む請求項３に記載の液体貨物移送装置。
【請求項６】
前記クーリング部は、
前記液体貨物貯蔵タンクの内部に設置されて前記液体貨物を噴射する噴射ノズルと、
前記噴射ノズルと前記ドラムを連結し、補助ポンプによって前記ドラムに貯蔵された前記液体貨物の一部を前記噴射ノズルに供給するために提供されるクーリング用供給ラインと、を含む請求項５に記載の液体貨物移送装置。
【請求項７】
前記加圧部は、
前記ガス移送ラインに前記圧縮器を迂回して連結される迂回ラインをさらに含み、
前記液体貨物貯蔵タンクで発生される蒸発ガスは、前記ガス移送ラインと前記迂回ラインを通じて前記圧縮器と前記ドラムとの間に供給されて前記圧縮器で圧縮された後、ガス需要先に供給される請求項３に記載の液体貨物移送装置。
【請求項８】
前記圧縮器で圧縮された蒸発ガスの中で前記ガス需要先に供給され、残った余剰蒸発ガスを前記ドラムに貯蔵するために提供される回収ラインと、
前記ガス移送ラインから分岐され、前記ドラムで発生される蒸発ガスを排気するための排気ラインと、をさらに含む請求項７に記載の液体貨物移送装置。
【請求項９】
前記ドラムに貯蔵された前記液体貨物を荷役するために前記ドラムの下部に連結される放出ラインと、
前記放出ラインに設置され、前記ドラムに貯蔵されている前記液体貨物に移送圧力を提供して前記液体貨物をポンピングするメーンポンプと、をさらに含む請求項１に記載の液体貨物移送装置。
【請求項１０】
前記放出ラインを通じて排出される液体貨物の流量を一定に維持させるために前記ドラムの圧力を調節するドラム圧力調節部をさらに含む請求項９に記載の液体貨物移送装置。
【請求項１１】
前記ドラム圧力調節部は、
前記ドラム内の液体貨物水位を測定する水位感知部材と、
前記ドラム内の蒸発ガス圧力を測定する圧力測定部材と、
前記水位感知部材及び前記圧力測定部材から測定値が提供されて前記ドラム内の蒸発ガス排出量を制御する制御部を含み、
前記制御部は、
前記ドラム内の蒸発ガスが排気されるガス移送ライン上に設置されたヴェイパーコントロールバルブ、及び前記メーンポンプと前記放出ラインに設置されたコントロールバルブを制御し、
前記制御部は、
前記ドラム内の液体貨物水位に対する前記ドラム内の蒸発ガス圧力が既設定された比率より低ければ、前記ガス移送ラインを通じて排気される蒸発ガス量が減少されるように前記ヴェイパーコントロールバルブを制御し、
前記ドラム内の液体貨物水位に対する前記ドラム内の前記蒸発ガス圧力が既設定された比率より高ければ、前記ガス移送ラインを通じて排気される前記蒸発ガス量が増加されるように前記ヴェイパーコントロールバルブを制御する請求項１０に記載の液体貨物移送装置。
【請求項１２】
前記加圧部は、
液体貨物貯蔵ターミナルから前記液体貨物貯蔵タンクに液体貨物を船積する時、前記液体貨物貯蔵ターミナルから提供される蒸発ガス、前記ドラム内で発生される蒸発ガス及び前記ドラム内に貯蔵された液体貨物を気化させたガスの中の少なくとも１つを前記ガス移送ラインを通じて前記液体貨物貯蔵タンクに供給して、前記液体貨物貯蔵タンクの圧力が低下することを防止する請求項３に記載の液体貨物移送装置。
【請求項１３】
液体貨物貯蔵タンクに貯蔵された液体貨物がドラムまで移送されるように蒸発ガスを利用して前記液体貨物貯蔵タンクを加圧する段階と、
前記ドラムに貯蔵される液体貨物をメーンポンプのポンピングを通じて液体貨物貯蔵ターミナルに放出する段階と、を含み、
前記液体貨物貯蔵タンクを加圧するのに使用される蒸発ガスは、前記ドラム内で発生される蒸発ガスを圧縮器で圧縮した圧縮蒸発ガスを使用する液体貨物移送方法。
【請求項１４】
前記加圧する段階で、
前記液体貨物貯蔵タンクを加圧するために使用される蒸発ガスが不足する場合、前記液体貨物貯蔵ターミナルで発生することによって提供せれる蒸発ガスを使用し、
前記圧縮蒸発ガスを前記液体貨物貯蔵タンクの内部に注入して加圧すると同時に前記ドラムから提供受けた液体貨物を噴射して前記液体貨物貯蔵タンクの温度上昇を防止する請求項１３に記載の液体貨物移送方法。
【請求項１５】
前記液体貨物貯蔵タンクに液体貨物が荷役される時、液体貨物一部が前記ドラムに貯蔵され、
前記メーンポンプを使用する前に進行するポンプクールダウンは、前記ドラムに貯蔵されている液体貨物を利用して遂行し、前記ポンプクールダウンの過程で発生される蒸発ガスは、前記液体貨物貯蔵タンクに提供される請求項１４に記載の液体貨物移送方法。
【発明の詳細な説明】
【技術分野】
【０００１】
本発明は加圧式液体貨物移送装置及び方法に関する。
【背景技術】
【０００２】
従来のメンブレン（Ｍｅｍｂｒａｎｅ）タイプの貨物倉を適用したＬＮＧ運搬船には、ＬＮＧを船積する、又は排出するために貨物倉の内部にパイプ（Ｐｉｐｅ）構造物であるポンプタワー（Ｐｕｍｐ  ｔｏｗｅｒ）が形成される。前記ポンプタワー（Ｐｕｍｐ  ｔｏｗｅｒ）は各種配管類とＬＮＧカーゴポンプ（Ｃａｒｇｏ  Ｐｕｍｐ）を支持するとともに、パイプ（Ｐｉｐｅ）を通じてＬＮＧを排出する配管としても使用される。
【０００３】
図１は従来の貨物倉に設置されるポンプタワーを示す図である。
【０００４】
図１を参照すれば、従来、ＬＮＧを船積及び排出する場合、貨物倉の外部にある同一の輸送配管（Ｌｉｑｕｉｄ  ｌｉｎｅ）を通じてＬＮＧを運送するが、ＬＮＧは貨物倉内のフィリングパイプ（Ｆｉｌｌｉｎｇ  Ｐｉｐｅ）２を通じて船積され、放出パイプ（Ｄｉｓｃｈａｒｇｅ  Ｐｉｐｅ）４を通じて排出される。これは、ＬＮＧカーゴポンプ（Ｃａｒｇｏ  Ｐｕｍｐ）５が水中（Ｓｕｂｍｅｒｇｅｄ）タイプの放出パイプ４の最下端に取り付けられているので、放出パイプ４がフィリング（Ｆｉｌｌｉｎｇ）用として使用された場合、逆回転によってカーゴポンプ５が損傷するおそれがあり、構造支持用である放出パイプを通じて冷却されたＬＮＧが流入すると、熱収縮によって構造物の全体に応力を発生する場合があるためである。
【０００５】
特に、ＬＮＧカーゴポンプ（Ｃａｒｇｏ  Ｐｕｍｐ）５は、故障した場合、直ちに修理することができない場合があるので、各貨物倉に２台ずつ構成する必要があり、非常用ポンプを設置するために別の追加ラインが要求されるため設備の構築にかかる多くの経済的費用が負担になる。
【０００６】
また、別の分岐配管（ｂｒａｎｃｈ  ｌｉｎｅ）を構成して前記問題を解決するためには遠隔操縦可能なバルブが必要である。しかし、極低温の環境で作動可能な作動装置（Ａｃｔｕａｔｏｒ）の開発することが難しいため、この方法も不可能である。したがって、従来の船舶のタンク内のＬＮＧの流入及び排出システムでは放出パイプ４とは別にフィリングパイプ２を形成することによってＬＮＧを船積している。
【０００７】
しかし、従来の船舶のタンク内における流体の流入及び排出構造物の場合、別のフィリングパイプ２が必要となるため、その構造が複雑であり、フィリングパイプ２の他にもフィリングパイプ２を支持するための部材が必要となるため、設備の構築にかかる多くの経済的費用が負担になる。したがって、液体ラインに関連する部品を最小限に抑え経済性を高めることができる流体の流入及び排出構造の開発が要求される。
【０００８】
したがって、タンク内におけう流体の流入及び排出構造がこのような要求事項を満たすために、放出パイプ４を通じて流体のフィリング（Ｆｉｌｌｉｎｇ）ができる技術の開発が要求される。
【発明の概要】
【発明が解決しようとする課題】
【０００９】
本発明の一課題は、フィリングパイプ（Ｆｉｌｌｉｎｇ  Ｐｉｐｅ）と放出パイプ（Ｄｉｓｃｈａｒｇｅ  Ｐｉｐｅ）を一体化することによって、貨物倉内への液体貨物の流入及び排出構造を簡単にすることができる加圧式液体貨物移送装置及び方法を提供することにある。
【００１０】
本発明が解決しようとする課題は上記に限定されず、言及されないその他の課題は下記から当業者に明確に理解されるべきである。
【課題を解決するための手段】
【００１１】
本発明の一側面によれば、液体貨物貯蔵タンクに連結される液体貨物移送ラインと、前記液体貨物移送ラインと連結され、液体貨物が貯蔵される空間を提供するドラムと、前記液体貨物貯蔵タンクに貯蔵された液体貨物が前記液体貨物移送ラインを通じて前記ドラムに供給されるように前記液体貨物貯蔵タンクを加圧する加圧部と、を含む液体貨物移送装置を提供することができる。
【００１２】
前記液体貨物移送装置は、前記液体貨物移送ラインに連結され、外部から液体貨物が供給されるフィリングラインをさらに含むことができる。
【００１３】
前記加圧部は、前記ドラムから蒸発ガスが提供されて圧縮する圧縮器と、前記圧縮器で圧縮された蒸発ガスを前記液体貨物貯蔵タンクに提供するガス移送ラインと、を含むことができる。
【００１４】
前記加圧部は、前記圧縮器と連結され、液体貨物貯蔵ターミナルから蒸発ガスを提供するターミナルガスラインをさらに含むことができる。
【００１５】
前記液体貨物移送装置は、前記圧縮された蒸発ガスが前記液体貨物貯蔵タンクに供給される時、前記液体貨物貯蔵タンクの温度上昇を防止するクーリング部をさらに含むことができる。
【００１６】
前記クーリング部は、前記液体貨物貯蔵タンクの内部に設置されて前記液体貨物を噴射する噴射ノズルと、前記噴射ノズルと前記ドラムを連結し、補助ポンプによって前記ドラムに貯蔵された液体貨物の一部を前記噴射ノズルに供給するために提供されるクーリング用供給ラインを含むことができる。
【００１７】
前記加圧部は、前記ガス移送ラインに前記圧縮器を迂回して連結される迂回ラインをさらに含み、前記液体貨物貯蔵タンクで発生される蒸発ガスは、前記ガス移送ラインと前記迂回ラインを通じて前記圧縮器と前記ドラムとの間に供給されて前記圧縮器で圧縮された後、ガス需要先に供給されることができる。
【００１８】
前記液体貨物移送装置は、前記圧縮器で圧縮された蒸発ガスの中で前記ガス需要先に供給され、残った余剰蒸発ガスを前記ドラムに貯蔵するために提供される回収ラインをさらに含むことができる。
【００１９】
前記液体貨物移送装置は、前記ガス移送ラインから分岐され、前記ドラムで発生される蒸発ガスを排気するための排気ラインをさらに含むことができる。
【００２０】
前記液体貨物移送装置は、前記ドラムに貯蔵された液体貨物を荷役するために前記ドラムの下部に連結される放出ラインと、前記放出ラインに設置され、前記ドラムに貯蔵されている液体貨物に移送圧力を提供して前記液体貨物をポンピングするメーンポンプをさらに含むことができる。
【００２１】
前記液体貨物移送装置は、前記放出ラインを通じて排出される液体貨物の流量を一定に維持させるために前記ドラムの圧力を調節するドラム圧力調節部をさらに含むことができる。
【００２２】
前記ドラム圧力調節部は、前記ドラム内の液体貨物水位を測定する水位感知部材と、前記ドラム内の蒸発ガス圧力を測定する圧力測定部材と、前記水位感知部材及び前記圧力測定部材から測定値が提供されて前記ドラム内の蒸発ガス排出量を制御する制御部と、を含むことができる。
【００２３】
前記制御部は、前記ドラム内の蒸発ガスが排気されるガス移送ライン上に設置されたヴェイパーコントロールバルブと、前記メーンポンプと前記放出ラインに設置されたコントロールバルブを制御し、前記ドラム内の液体貨物水位に対する前記ドラム内の蒸発ガス圧力が既設定された比率より低ければ、前記ガス移送ラインを通じて排気される蒸発ガス量が減少されるように前記ヴェイパーコントロールバルブを制御し、前記ドラム内の液体貨物水位に対する前記ドラム内の蒸発ガス圧力が既設定された比率より高ければ、前記ガス移送ラインを通じて排気される蒸発ガス量が増加されるように前記ヴェイパーコントロールバルブを制御することができる。
【００２４】
前記加圧部は、液体貨物貯蔵ターミナルから前記液体貨物貯蔵タンクに液体貨物を船積する時、前記液体貨物貯蔵ターミナルから提供される蒸発ガス、前記ドラム内で発生される蒸発ガス及び前記ドラム内に貯蔵された液体貨物を気化させたガスの中で少なくとも１つを前記ガス移送ラインを通じて前記液体貨物貯蔵タンクに供給して、前記液体貨物貯蔵タンクの圧力が低下することを防止することができる。
【００２５】
本発明の他の側面によれば、液体貨物貯蔵タンクに貯蔵された液体貨物がドラムまで移送されるように蒸発ガスを利用して液体貨物貯蔵タンクを加圧する段階と、前記ドラムに貯蔵される液体貨物をメーンポンプのポンピングを通じて液体貨物貯蔵ターミナルに放出する段階と、を含み、前記液体貨物貯蔵タンクを加圧するのに使用される蒸発ガスは、前記ドラム内で発生される蒸発ガスを圧縮器で圧縮した圧縮蒸発ガスを使用する液体貨物移送方法を提供することができる。
【００２６】
前記加圧する段階で、前記液体貨物貯蔵タンクを加圧するために使用される蒸発ガスが不足する場合、前記液体貨物貯蔵ターミナルで発生することによって提供される蒸気ガスを使用することができる。
【００２７】
前記加圧する段階で、前記圧縮蒸発ガスを前記液体貨物貯蔵タンクの内部に注入して加圧すると同時に、前記ドラムから提供された液体貨物を噴射して前記液体貨物貯蔵タンクの温度上昇を防止することができる。
【００２８】
前記液体貨物貯蔵タンクに液体貨物が荷役される時、液体貨物の一部が前記ドラムに貯蔵され、前記メーンポンプを使用する前に進行するポンプクールダウンは、前記ドラムに貯蔵されている液体貨物を利用して遂行し、前記ポンプクールダウンの過程で発生される蒸発ガスは前記液体貨物貯蔵タンクに提供されることができる。
【００２９】
前記ドラムには一定量の液体貨物が貯蔵され、前記ドラムに貯蔵された液体貨物は選択的にガス需要先に提供され、前記液体貨物は液化天然ガス（ＬＮＧ）を含むことができる。
【００３０】
前記放出する段階は、前記ドラムから放出される液体貨物の流量を一定に維持させるために前記ドラムの圧力を調節し、前記ドラムの圧力調節は前記ドラム内の液体貨物水位に対する前記ドラム内の蒸発ガス圧力が既設定された比率より低ければ、前記ドラムから排気される蒸発ガス量を減少させ、前記ドラム内の液体貨物水位に対する前記ドラム内の蒸発ガス圧力が既設定された比率より高ければ、前記ドラムから排気される蒸発ガス量を増加させることができる。
【発明の効果】
【００３１】
本発明の実施形態によれば、液体貨物移送ラインを通じて液体貨物の船積及び排出が可能することによって貯蔵タンクの内部に別のポンプタワー（Ｐｕｍｐ  ｔｏｗｅｒ）を具現する必要がなく、構成が単純になり、価額競争力を高くすることがきる。
【００３２】
本発明の実施形態によれば、ドラムに貯蔵されている液体貨物を多用途に活用することができる格別な効果を有する。
【００３３】
本発明の実施形態によれば、ドラムの圧力調節を通じて排出される流量を常に一定に維持することができる。
【００３４】
本発明の効果は、上述した効果によって制限されることはなく、言及されなかった効果は、本明細書及び添付された図面から本発明が属する技術分野で通常の知識を有する者に明確に理解されるであろう。
【図面の簡単な説明】
【００３５】
【図１】従来の貨物倉に設置されるポンプタワーを示す図である。
【図２】液体貨物移送装置が適用された浮遊式海洋構造物を示す図である。
【図３】貯蔵タンクに液体貨物を船積（フィリング）する過程を説明するための図である。
【図４】満船航海の場合の蒸発ガスの移動経路を示す図である。
【図５】蒸発ガスのその他の移動経路を示す図である。
【図６】メーンポンプのクールダウン過程を説明するための図である。
【図７】貯蔵タンクから液体貨物を荷役する過程を説明するための図である。
【図８】空船航海の場合の蒸発ガスの移動経路を示す図である。
【図９】液体貨物移送装置におけるドラムの圧力調節のための構成を示す図である。
【図１０】ドラム内の水位と蒸発ガスの圧力曲線を示す表である。
【図１１】貯蔵タンクに液体貨物を船積する時に液体貨物貯蔵ターミナルから供給される蒸発ガスを利用して貯蔵タンクの急激な圧力低下を防止する過程を説明するための図である。
【図１２】貯蔵タンクに液体貨物を船積する時にドラム内に貯蔵された液体貨物を気化させて貯蔵タンク内に供給して貯蔵タンクの急激な圧力低下を防止する過程を説明するための図である。
【図１３】貯蔵タンクに液体貨物を船積する時にドラムの蒸発ガスを貯蔵タンク内に供給して貯蔵タンクの急激な圧力低下を防止する過程を説明するための図である。
【発明を実施するための形態】
【００３６】
本発明は多様な変換を加えることができ、様々な実施形態を有することができるので、特定の実施形態態を図面に例示して詳細に説明する。しかし、これは本発明を特定の実施形態に対して限定しようするものではなく、本発明の思想及び技術範囲に含まれるすべての変換、均等物、乃至代替物を含むものとして理解されなければならない。本発明を説明するにあたり、関連する公知技術に対する具体的な説明が本発明の要旨を曖昧にすると判断される場合、その詳細な説明は省略する。
【００３７】
以下の説明では、技術用語は単なる特定の例示的な実施形態を説明するために使用されたものであり、本発明を限定するものではない。単数形の用語は、逆に言及されない限り、複数形を含み得る。本出願における、“含む”又は“有する”等の用語は、明細書上に記載された特徴、数字、段階、動作、構成要素、部品、又はこれらの組み合わせが存在することを指定することができ、１つ又はそれ以上の他の特徴や、数字、段階、動作、構成要素、部品、又はこれらを組み合わせの存在又は付加可能性が予め排除されないことが理解されなければならない。
【００３８】
「第１」、「第２」等の用語は、本明細書において多様な構成要素を説明するために使用されるが、前記構成要素は前記用語によって限定されるべきではないことが理解されよう。前記用語は１つの構成要素を他の構成要素から区別する目的のみに使用される。
【００３９】
以下、添付した図面を参照して本発明に係る実施形態を詳細に説明する。なお、添付図面を参照して説明することにおいて、同一または対応する構成要素には同一の図面番号を付与し、それに対する重複する説明は省略する。
【００４０】
図２は液体貨物移送装置が適用された浮遊式海洋構造物を示す図である。
【００４１】
図２に示すように、浮遊式海上構造物１０は液体貨物貯蔵タンク２０を含む船体３０を有する。液体貨物は、船体３０に設置された液体貨物移送装置１００（以下、液体貨物移送装置という）により、液体貨物貯蔵タンク２０から荷下ろしされる。
【００４２】
ここで、浮遊式海上構造物１０は、天然ガスや原油の掘削が海上で為される場合、原油を一時的に貯蔵するか、又はその処理のための海洋浮遊構造物であるＦＰＳＯ（Ｆｌｏａｔｉｎｇ  Ｐｒｏｄｕｃｔｉｏｎ、Ｓｔｏｒａｇｅ  ａｎｄ  Ｏｆｆｌｏａｄｉｎｇ）及び天然ガス生産貯蔵設備であるＦＬＮＧ（Ｆｌｏａｔｉｎｇ  Ｌｉｑｕｅｆｉｅｄ  Ｎａｔｕｒａｌ  Ｇａｓ）、又は浮遊式液貨物貯蔵船（ＦＳＲＵ；Ｆｌｏａｔｉｎｇ  Ｓｔｏｒａｇｅ  ａｎｄ  Ｒｅｇａｓｉｆｉｃａｔｉｏｎ  Ｕｎｉｔ）である。しかし、本発明の実施形態はこれに限定されない。例えば、浮遊式海洋構造物１０は、液体貨物を貯蔵する貯蔵タンクが設置された構造であってもよい。
【００４３】
本発明の液体貨物移送装置１００は、フィリングパイプ（Ｆｉｌｌｉｎｇ  Ｐｉｐｅ）と放出パイプ（Ｄｉｓｃｈａｒｇｅ  Ｐｉｐｅ）を一体化して液体貨物の船積及び荷積を実施することができ、荷積作業の時には液体貨物に移送圧力を付与するための水中移送ポンプを構成することなく、ドラム１２０に貯蔵された蒸発ガスを利用して液体貨物貯蔵タンク（以下、貯蔵タンクとする）２０に貯蔵された液体貨物を加圧することによって移送することができる装置である。
【００４４】
本発明の液体貨物移送装置１００は、小型ＬＮＧタンクや密度が著しく低い液体貨物（例えば、液化水素）の貯蔵タンクのような、油圧が低い場合に適切に適用することができる。
【００４５】
液体貨物移送装置１００は、液体貨物移送ライン１１０、ドラム１２０、フィリングライン１３０、加圧部２００、クーリング部３００、放出ライン１４０、及びメーンポンプ１５０を含むことができる。
【００４６】
液体貨物移送ライン１１０は、貯蔵タンク２０の下部から上部を経て、船体３０のデッキ上に設置されるドラム１２０と連結される。液体貨物移送ライン１１０にはフィリングライン１３０が連結される。
【００４７】
ドラム１２０は、液体貨物を貯蔵するための貯蔵空間を有し、貯蔵タンク２０より少ない容量を有する。
【００４８】
加圧部２００は、貯蔵タンク２０に貯蔵された液体貨物が液体貨物移送ライン１１０を通じてドラム１２０に供給されるように液体貨物貯蔵タンク２０を加圧するために提供される。
【００４９】
一例として、加圧部２００は、圧縮器２２０、ガス移送ライン２１０、ターミナルガスライン２３０、ポンプガスライン２４０、及び迂回ライン２５０を含むことができる。圧縮器２２０はガス移送ライン２１０上に設置される。圧縮器２２０は、ドラム１２０から蒸発ガスが提供され、提供された蒸発ガスと圧縮器２２０で圧縮された蒸発ガス（以下、圧縮蒸発ガスとする）は、ガス移送ライン２１０を通じて貯蔵タンク２０の各々に提供される。
【００５０】
ガス移送ライン２１０は、貯蔵タンク２０の上端に連結される。ガス移送ライン２１０は、圧縮蒸発ガスを貯蔵タンク２０に供給するための経路、および貯蔵タンク２０の蒸発ガスを排出させる経路として使用することができる。ガス移送ライン２１０には、需要先に蒸発ガスを供給するための需要先供給ライン２１２を連結することができる。需要先供給ライン２１２には、第１ドラムガスライン２１４を連結することができる。第１ドラムガスライン２１４は、圧縮器２２０とドラム１２０との間の区間に該当するガス移送ライン２１０から分岐されて需要先供給ライン２１２と連結される。第１ドラムガスライン２１４は、圧縮器２２０と貯蔵タンク２０との間の区間に該当するガス移送ライン２１０上の第１地点Ｐ１と連結することができる。
【００５１】
第２ドラムガスライン２１６は、第１ドラムガスライン２１４から分岐され得、第２ドラムガスライン２１６は、迂回ライン２５０とガス移送ライン２１０が合流する第２地点Ｐ２に連結することができる。
【００５２】
迂回ライン２５０は、貯蔵タンク２０で発生する蒸発ガスを圧縮するために圧縮器２２０を迂回するようにガス移送ライン２１０に連結することができる。迂回ライン２５０の一端は、圧縮器２２０と貯蔵タンク２０との間の区間のガス移送ライン上の第２地点Ｐ２に連結され、他端は、圧縮器２２０とドラム１２０との間の区間に該当するガス移送ライン２１０の第３地点Ｐ３に連結することができる。一方、圧縮器２２０で圧縮された蒸発ガスの中でガス需要先に供給された後に残った余剰蒸発ガスは、第１ドラムガスライン２１４を通じて圧縮器２２０からドラム１２０に移動する場合がある。このように、第１ドラムガスライン２１４は、必要によって蒸発ガスを回収するための回収ラインとして使用されてもよい。
【００５３】
排気ライン２６０は、迂回ライン２５０に連結される。排気ライン２６０は、蒸発ガスを必要とするその他の需要先（追加需要先）と連結することができる。
【００５４】
圧縮器２２０には、液体貨物貯蔵ターミナル（図示せず）から蒸発ガスが提供されるターミナルガスライン２３０が連結される。加圧部２００は、貯蔵タンク２０に提供される圧縮蒸発ガスが不足する場合、ターミナルガスライン２３０を通じて液体貨物貯蔵ターミナルから蒸発ガスが供給されうる。また、圧縮器２２０には、メーンポンプ１５０から蒸発ガスが提供されるポンプガスライン２４０を連結することができる。
【００５５】
放出ライン１４０は、ドラム１２０の下部に連結される。放出ライン１４０上にはメーンポンプ１５０が設置される。メーンポンプ１５０は、ドラム１２０に貯蔵されている液体貨物に移送圧力を付与するために提供される。
【００５６】
クーリング部３００は、圧縮蒸発ガスが貯蔵タンク２０に供給される時、貯蔵タンク２０の温度上昇を防止するために提供される。一例として、クーリング部３００は、噴射ノズル３１０、クーリング用供給ライン３２０、及び補助ポンプ３３０を含むことができる。
【００５７】
噴射ノズル３１０は、貯蔵タンク２０の内部の上部に設置され、液体貨物を噴射する。
【００５８】
クーリング用供給ライン３２０は、噴射ノズル３１０とドラム１２０とを連結する。補助ポンプ３３０は、ドラム１２０に貯蔵された液体貨物の一部を噴射ノズル３１０に供給するための移送圧力を付与する。
【００５９】
図３は貯蔵タンクに液体貨物を船積（フィリング）する過程を説明するための図である。参考として、説明の便宜上、液体貨物の移送経路は点線で表示し、蒸発ガスの移送経路は太い実線で表示した。また、図３乃至図８、図１１乃至図１３では、各ラインに設置されたバルブのうち内部が黒色で表示されたバルブは閉状態を示し、黒色で表示されていないバルブは開状態を示す。
【００６０】
図３に示すように、液体貨物は、フィリングライン１３０を通じて液体貨物移送ライン１１０を経て貯蔵タンク２０に貯蔵される。この時、液体貨物の一部はドラム１２０の貯蔵空間に貯蔵される。ドラム１２０の貯蔵空間に貯蔵された液体貨物は、メーンポンプ１５０のクールダウンに使用することができる。ドラム１２０の貯蔵空間で発生される蒸発ガス及び貯蔵タンク２０で発生される蒸発ガスは、迂回ライン２５０と連結された排気ライン２６０を通じて追加需要先に提供されうる。
【００６１】
ここで、追加需要先は、蒸発ガスを必要とし、蒸発ガスを原料として駆動されてもよい。一例として、追加需要先は、発電機（例えば、ＤＦＤＧ）、ガス燃焼装置ＧＣＵ、ボイラー（例えば、スチームを生成するボイラー）であるが、これに限定されない。
【００６２】
図４は満船航海の時の蒸発ガスの移動経路を示す図である。
【００６３】
参考として、説明の便宜上、液体貨物の移送経路は点線で表示し、蒸発ガスの移送経路は太い実線で表示した。
【００６４】
図４を参照すれば、貯蔵タンクに液体貨物が満載した満船航海（Ｌａｄｅｎ  Ｖｏｙａｇｅ）時に貯蔵タンク２０で発生される蒸発ガスは、ガス移送ライン２１０と迂回ライン２５０を経て圧縮器２２０で圧縮された後、需要先供給ライン２１２を通じて需要先に供給されうる。また、貯蔵タンク２０で発生される蒸発ガス量が不足する場合、ドラム１２０内の蒸発ガスが提供されうる。その他の方法としては、クーリング用供給ライン３２０に設置された補助ポンプ３３０を活用して液体貨物を需要先に供給することもできる。
【００６５】
参考として、需要先は、圧縮器によって約２００乃至４００ｂａｒに加圧されることによって気化する蒸発ガス（又は液化ガス）を使用することができ、約３００ｂａｒ程度の高圧蒸発ガスを使用する高圧用エンジンであってもよく、プロペラを駆動するために直接プロペラ軸を回転させるエンジン又はその他の動力を発生させるためのエンジンであってもよい。
【００６６】
図５は蒸発ガスのその他の移動経路を示す図である。
【００６７】
参考として、説明の便宜上、蒸発ガスの移送経路は太い実線で表示した。
【００６８】
図５を参照すれば、徐行運航によって需要先で使用される蒸発ガス量が減少する場合、余剰蒸発ガスは、圧縮器２２０を通じて圧縮された後、第１地点Ｐ１で第１ドラムガスライン２１４を通じてドラム１２０に貯蔵されう。
【００６９】
図６はメーンポンプのクールダウン過程を説明するための図面である。
【００７０】
参考として、説明の便宜上、蒸発ガスの移送経路は太い実線で表示した。
【００７１】
図６を参照すれば、メーンポンプ１５０は、既存に貯蔵タンク内に設置される水中ポンプとは異なり、外気中に露出されることによって、荷積作業を実施する前にクール−ダウンを遂行する必要がある。メーンポンプ１５０のクールダウンはドラム１２０内に貯蔵されている液体貨物を利用してあらかじめ遂行される。
【００７２】
この過程で、メーンポンプ１５０で発生した蒸発ガスは、ポンプガスライン２４０を通じて圧縮器２２０に提供される。また、ドラム１２０及び右側の貯蔵タンク内の蒸発ガスも圧縮器２２０に提供されうる。圧縮器２２０で圧縮された蒸発ガス（以下、圧縮蒸発ガスとする）は、ガス移送ライン２１０を通じて２つの貯蔵タンクの中のうち左側の貯蔵タンクに供給される。左側の貯蔵タンクでは、圧縮蒸発ガスの加圧力によって液体貨物が液体貨物移送ライン１１０を通じてドラム１２０に移送される。したがって、ドラム１２０には、メーンポンプ１５０のクールダウンに使用される液体貨物が供給される。
【００７３】
図７は貯蔵タンクから液体貨物を荷役する過程を説明するための図である。参考として、説明の便宜上、液体貨物の移送経路は点線で表示し、蒸発ガスの移送経路は太い実線で表示した。
【００７４】
図７に示すように、荷役作業は加圧部２００が２つの貯蔵タンク２０を加圧し、圧縮蒸発ガスの加圧力によって貯蔵タンク２０に貯蔵された液体貨物が液体貨物移送ライン１１０を通じてドラム１２０に移動する。
【００７５】
このような加圧過程では、圧縮器２２０を通過する圧縮蒸発ガスは、貯蔵タンク２０内の液体貨物よりも高い温度を有するので、貯蔵タンク２０の内部温度を上昇させる原因になりうる。このような問題を最小限にするために、加圧過程ではクーリング部３００を通じて貯蔵タンク２０の内部温度の上昇を抑制させる。即ち、圧縮蒸発ガスを貯蔵タンク２０の内部に注入して加圧すると同時に、液体貨物を貯蔵タンク２０の内部で噴射すれば、低温の液体貨物が圧縮蒸発ガスを冷却させながら、貯蔵タンク２０の温度上昇を防止し、圧縮器２２０を通じて排出される圧縮蒸発ガスの必要量を減少させることができる。そのため、圧縮器２２０の容量を減少させることができる。貯蔵タンク２０の内部に噴射される液体貨物は、ドラム１２０から提供される。
【００７６】
一方、貯蔵タンク２０からドラム１２０に移動する液体貨物は、放出ライン１４０を通じて液体貨物貯蔵ターミナル（一例として、運搬船又は地上の貯蔵タンク）（図示せず）に移送され、この時、液体貨物の移送はメーンポンプ１５０によって為される。
【００７７】
図８は空船航海の時の蒸発ガスの移動経路を示す図面である。
【００７８】
参考として、説明の便宜上、蒸発ガスの移送経路は太い実線で表示した。
【００７９】
図８を参照すれば、空船航海の時には貯蔵タンク２０から発生される蒸発ガス発生量が減少するため、運航するために必要である蒸発ガスはドラム１２０に貯蔵された液体貨物から提供される。即ち、ドラム１２０の液体貨物は、クーリング用供給ライン３２０を通じて蒸発器（図示せず）に提供された後、需要先に提供されてもよい。
【００８０】
図９は液体貨物移送装置におけるドラムの圧力調節のための構成を示す図面である。
【００８１】
図９を参照すれば、液体貨物移送装置１００はドラム圧力調節部１２２を有する。ドラム圧力調節部１２２は、放出ライン１４０を通じて排出される液体貨物の流量を一定に維持させるためにドラム１２０の圧力を調節する。
【００８２】
一例として、ドラム圧力調節部１２２は、ドラム１２０内の液体貨物の水位を測定する水位感知部材１２４、ドラム１２０内の蒸発ガス圧力を測定する圧力測定部材１２６、及び水位感知部材１２４及び圧力測定部材１２６から測定値が提供されてドラム１２０内の蒸発ガス排出量を制御する制御部１２８を含むことができる。
【００８３】
制御部１２８は、ドラム１２０内の蒸発ガスが排気されるガス移送ライン２１０上に設置されたヴェイパーコントロールバルブ２１１、メーンポンプ１５０、及び放出ライン１４０に設置されたコントロールバルブ１４２の各々を制御することができる。
【００８４】
制御部１２８は、ドラム１２０内の液体貨物の水位が既設定された水位より上昇し、ドラム１２０内の蒸発ガス圧力が低い場合、ガス移送ライン２１０を通じて排気される蒸発ガス量が減少するようにヴェイパーコントロールバルブ２１１を制御する。また、制御部１２８は、ドラム１２０内の液体貨物の水位が既設定された水位より上昇し、ドラム１２０内の蒸発ガス圧力が高い場合、ガス移送ライン２１０を通じて排気される蒸発ガス量が増加するようにヴェイパーコントロールバルブ２１１を制御する。
【００８５】
このように、ドラム１２０に流入される流量が放出ライン１４０に流出される流量より多い場合、ドラム１２０の水位が上昇するため、ドラム１２０の内圧力も上昇する。これは、貯蔵タンク２０とドラム１２０との間の圧力差が減少するため、自然にドラム１２０に流入される流量が減少する。反対に、ドラム１２０の水位が下がると、ドラム１２０内の圧力が減少し、ドラム１２０に流入する流量が増加するため、ドラム１２０に流入される流量と流出される流量を常に調節することができる。但し、流入される熱によってドラム１２０内の液体貨物が気化するためドラム１２０内が加圧され、ここでいうドラム内の圧力は、図１０に示す水位と蒸発ガスの圧力曲線Ｐを基準に制御することができる。
【００８６】
図１１は運送タンクに液体貨物を船積するの時に液体貨物運送ターミナルから供給される蒸発ガスを利用して運送タンクの急激な圧力低下を防止する過程を説明するための図である。
【００８７】
運搬船又は液体貨物貯蔵ターミナル（一例として、地上の貯蔵タンク）等の外部タンクから貯蔵タンク２０に液体貨物を船積する場合、貯蔵タンク２０内に貯蔵されている液体貨物と貯蔵タンク２０に供給される液体貨物の温度差によって、貯蔵タンク２０内の残存ガスが急速に収縮して圧力が急激に低下することがある。
【００８８】
メンブレンタンクである貯蔵タンク２０内の圧力が陰圧に下がる場合、貯蔵タンク２０の液体貨物と接触する１次防壁が破損する可能性が非常に高くなる。貯蔵タンク２０への液体貨物の船積速度を遅くすると、貯蔵タンク２０内ガスの急速な収縮を防止することができるが、船積時間が長くなることによって生産性が低下し、持続的なモニターリングが必要となるという短所がある。
【００８９】
図１１に示されるように、貯蔵タンク２０に液体貨物を船積する時、ターミナル又はバンカー船等の外部タンクから、ターミナルガスライン２３０、迂回ライン２５０、排気ライン２６０、及びガス移送ライン２１０を通じて順次的に蒸発ガスが移送されて貯蔵タンク２０内に供給されうる。このように、貯蔵タンク２０に液体貨物を船積する時に、ターミナル又はバンカー船等の外部タンクから蒸発ガス（天然ガス）が供給されて貯蔵タンク２０内に注入する場合、液体貨物の船積速度を緩めずに貯蔵タンク２０内のガスの急速な収縮を防止して貯蔵タンク２０のメンブレン防壁の損傷を防止することができる。
【００９０】
図１２は運送タンクに液体貨物を船積する時にドラム内に運送された液体貨物を気化させて運送タンク内に供給して運送タンクの急激な圧力低下を防止する過程を説明するための図である。
【００９１】
図１２に示される実施形態によれば、クーリング用供給ライン３２０には、液体貨物供給ライン４１０が連結される。ドラム１２０内に貯蔵された液体貨物は、クーリング用供給ライン３２０、液体貨物供給ライン４１０を通じて気化器４２０に供給され、気化器４２０で気化されてターミナルガスライン２３０と連結されたガス供給ライン４３０に供給される。気化器４２０で気化されたガスは、ガス供給ライン４３０、ターミナルガスライン２３０、迂回ライン２５０、排気ライン２６０、及びガス移送ライン２１０を通じて順次的に移送されて貯蔵タンク２０内に供給されうる。
【００９２】
このように、貯蔵タンク２０に液体貨物を船積する時に、ドラム１２０から供給される液体貨物を気化させた後、貯蔵タンク２０内に供給することによって、液体貨物の船積速度を緩めずに貯蔵タンク２０内のガスの急速な収縮を防止して貯蔵タンク２０のメンブレン防壁の損傷を防止することができる。また、図１２に図示される実施形態によれば、ターミナル又はバンカーリング船舶のタンクから充分な量の蒸発ガスが供給されなくとも、貯蔵タンク２０の急激な圧力減少を防止することができる。
【００９３】
図１３は運送タンクに液体貨物を船積する時にドラムの蒸発ガスを運送タンク内に供給して運送タンクの急激な圧力低下を防止する過程を説明するための図である。
【００９４】
図１３に図示されるように、貯蔵タンク２０に液体貨物を船積する時、ドラム１２０の蒸発ガス（天然ガス）を第２ドラムガスライン２１６およびガス移送ライン２１０を通じて順次移送して貯蔵タンク２０内に供給することによって、液体貨物の船積速度を緩めずに貯蔵タンク２０内のガスの急速な収縮を防止して貯蔵タンク２０のメンブレン防壁の損傷を防止することができる。また、図１３に図示される実施形態によれば、ターミナル又はバンカーリング船舶のタンクから充分な量の蒸発ガスが供給されなくとも、貯蔵タンク２０の急激な圧力減少を防止することができる。
【００９５】
なお、図示していないが、ターミナル又はバンカー船等の外部タンクから供給される蒸発ガスを貯蔵タンク２０内に供給する方法は、ドラム１２０の蒸発ガスを貯蔵タンク２０内に供給する方法と、ドラム１２０から供給された液体貨物を気化させたガスを貯蔵タンク２０内に供給する方法と、の中で２以上の方法を同時に使用して液体貨物を船積する時に、貯蔵タンク２０の急激な圧力低下を防止することもできる。
【００９６】
以上の説明は、本発明の技術思想を例示的に説明したものに過ぎなく、本発明が属する技術分野で通常の知識を有する者であれば、本発明の本質的な特性で逸脱しない範囲で多様な修正及び変形が可能である。したがって、本発明に開示された実施形態は、本発明の技術思想を限定するものではなく、説明するものであり、このような実施形態によって本発明の技術思想の範囲が限定されることではない。本発明の保護範囲は、下の請求の範囲によって解釈されなければならず、それと同等な範囲内に含まれるすべての技術思想は本発明の権利範囲に含まれることと解釈されるべきである。
【図１】
2020532688.tif 000003
【図２】
2020532688.tif 000004
【図３】
2020532688.tif 000005
【図４】
2020532688.tif 000006
【図５】
2020532688.tif 000007
【図６】
2020532688.tif 000008
【図７】
2020532688.tif 000009
【図８】
2020532688.tif 000010
【図９】
2020532688.tif 000011
【図１０】
2020532688.tif 000012
【図１１】
2020532688.tif 000013
【図１２】
2020532688.tif 000014
【図１３】
2020532688.tif 000015
【国際調査報告】
2020532688.tif 000016
2020532688.tif 000017
2020532688.tif 000018
2020532688.tif 000019